(57)【要約】【課題】トロイダルコイルにおいてもＹＶや上下台形歪を最適調整できるカラー受像管装置を提供する。【解決手段】偏向ヨークは、水平偏向コイル、垂直偏向コイル、及びフェライトコアを含んでおり、フェライトコアは、上側コア６と下側コア７とに分割されており、上側コア６、下側コア７のそれぞれに垂直偏向コイルがトロイダル巻されており、上側コア左側コイル３２と上側コア右側コイル３４とが第１の中間タップ１５を介して分割されており、下側コア左側コイル３３と下側コア右側コイル３５とが第２の中間タップ２６を介して分割されており、前記各コイルと並列で、かつ前記第１及び第２の中間タップ１５、２６の少なくともいずれかに接続された可変抵抗を備えている。【選択図】図２
2006128094.tif 000002
【特許請求の範囲】
【請求項１】
陰極線管と、前記陰極線管の外部を囲むように配置された偏向ヨークとを備え、電子銃から放射された３本の電子ビームが、前記偏向ヨークからの水平偏向磁界及び垂直偏向磁界によって、スクリーン上にカラー画像を形成するカラー受像管装置であって、
前記偏向ヨークは、水平偏向コイル、垂直偏向コイル、及びフェライトコアを含んでおり、
前記フェライトコアは、上側コアと下側コアとに分割されており、
前記上側コア、前記下側コアのそれぞれに前記垂直偏向コイルがトロイダル巻されており、
前記陰極線管の管軸を通る画面垂直方向の軸をＹ軸、前記管軸を通る画面水平方向の軸をＸ軸とし、
前記フェライトコアを前記スクリーン側から見たときに、前記垂直偏向コイルのうち、前記Ｙ軸より左側で前記Ｘ軸より上側の領域に巻回されたコイルを上側コア左側コイル、前記Ｙ軸より右側で前記Ｘ軸より上側の領域に巻回されたコイルを上側コア右側コイル、前記Ｙ軸より左側で前記Ｘ軸より下側の領域に巻回されたコイルを下側コア左側コイル、前記Ｙ軸より右側で前記Ｘ軸より下側の領域に巻回されたコイルを下側コア右側コイルとすると、
前記上側コア左側コイルと前記上側コア右側コイルとが第１の中間タップを介して分割されており、前記下側コア左側コイルと前記下側コア右側コイルとが第２の中間タップを介して分割されており、
前記第１及び第２の中間タップの少なくともいずれかに接続された可変抵抗を備えたことを特徴とするカラー受像管装置。
【請求項２】
前記フェライトコアは、内側又は外側に凸部の形成されたスロットコアである請求項１に記載のカラー受像管装置。
【請求項３】
前記フェライトコアは、巻線位置規制のガイドが付加されている請求項１または２に記載のカラー受像管装置。
【請求項４】
前記上側コア左側コイルと前記下側コア左側コイルとを直列接続して左側コイル群を形成し、前記上側コア右側コイルと前記下側コア右側コイルとを直列接続して右側コイル群を形成し、前記左側コイル群と前記右側コイル群とが直列接続されており、前記可変抵抗は前記第１及び第２の中間タップに接続されており、
前記可変抵抗により、前記左側コイル群と前記右側コイル群との間で電流差を生じさせることができる請求項１から３のいずれかに記載のカラー受像管装置。
【請求項５】
前記可変抵抗は、第１の可変抵抗と第２の可変抵抗とに分離しており、
前記上側コア左側コイルと前記上側コア右側コイルとが直列接続され、前記第１の中間タップと前記第１の可変抵抗とが接続され、
前記下側コア左側コイルと前記下側コア右側コイルとが直列接続され、前記第２の中間タップと前記第２の可変抵抗とが接続され、
前記第１の可変抵抗により、前記上側コア左側コイルと前記上側コア右側コイルとの間で電流差を生じさせることができ、前記第２の可変抵抗により、前記下側コア左側コイルと前記下側コア右側コイルとの間で電流差を生じさせることができる請求項１から３のいずれかに記載のカラー受像管装置。
【請求項６】
前記第１の可変抵抗と前記第２の可変抵抗との可変動作が連動する機構になっている請求項５に記載のカラー受像管装置。
【請求項７】
前記第１の可変抵抗と前記第２の可変抵抗との可変動作が調整棒を介して連動する機構になっている請求項５に記載のカラー受像管装置。
【発明の詳細な説明】
【技術分野】
【０００１】
本発明は、テレビジョンまたはコンピュータディスプレイ等に用いられるカラー受像管装置に関し、詳しくはそのカラー受像管装置を構成する偏向ヨークに関する。
【背景技術】
【０００２】
陰極線管装置においては、真空外囲器を構成する漏斗状のガラス製のファンネルのコーン部の外周を囲むように、偏向ヨークが設けられている。偏向ヨークの発生する水平、垂直偏向磁界により、電子銃から発せられる３本の電子ビームは、偏向され、シャドウマスクを介して蛍光体スクリーン上を水平、垂直走査することにより、カラー画像が表示されることになる。偏向ヨークは、垂直偏向コイルと水平偏向コイルとを備えており、通常、垂直偏向コイルは、フェライトコアに巻回されている。
【０００３】
図６は、従来の垂直偏向コイルが巻回されたフェライトコアの一例の断面図である。図６は陰極線管の管軸と直交する方向の断面図であり、Ｘ軸は画面水平方向の軸、Ｙ軸は画面垂直方向の軸である（図７も同じ）。
【０００４】
フェライトコア５０の内面には、管軸方向に向かって突出している凸部５１を複数設けている。凸部５１間の凹部５２には、垂直偏向コイル５３が巻回されている。この構成によれば、凸部５１を設けない構成と比べて、フェライトコア５０を陰極線管に近づけることができるため、偏向感度を高めることができ偏向電力の低減に有利になる。
【０００５】
また、コイルに磁束が鎖交しにくくなり、渦電流損失が低減して偏向ヨークの発熱を低減させることもできる。このようなフェライトコア５０は、スロットコアと呼ばれており、同様の構成が特許文献１にも開示されている。
【０００６】
図７は、従来の垂直偏向コイルが巻回されたフェライトコアの別の一例の断面図である。図７は、サドル−トロイダル型偏向ヨーク（ＳＴＤＹ）の例を示している。水平偏向コイルは、金型巻によるサドルコイル（図示せず）とし、垂直偏向コイル６１は、フェライトコア６０に直接巻回したトロイダルコイルである。フェライトコア６０は上下分割されているため、垂直偏向コイル６１は、上下分割のコイルとなる。
【０００７】
ここで、トロイダルコイルのコアが上下方向で分割されている理由について説明する。まず、垂直偏向コイルのトロイダルコイルの巻線は水平軸上から±２０°付近を除く領域に巻線され、最適磁界分布を得る。トロイダルコイルの巻線は分割されたコアの一つを分割面の一方で保持した状態で巻線を行う。この巻線の保持機構スペースを確保するために、分割面から１８°まで巻線をすることができない範囲（デッドゾーンと呼ぶ）がある。
【０００８】
このデッドゾーンはコアが左右分割の場合、分割面が垂直軸となり、垂直軸から±１８°に巻線ができなくなり、垂直軸上付近の巻線が不可能となり、所望の磁界分布を得ることができない。
【０００９】
一方、コアが上下分割の場合、分割面が水平軸となり、水平軸から±１８°に巻線ができなくなるが、前述のようにトロイダルコイルの巻線は水平軸上から±２０°付近をのぞく領域に巻線分布が必要なため、所望の磁界分布を得ることができる。
【００１０】
次に、差動抵抗を使ったＹＶ、台形歪調整について説明する。なお、ＹＶとはミスコンバーゼンスのパターンのことであり、具体的には、図９に示したように、Ｒ（赤）とＢ（青）とが重なり合わずに位置ずれしたパターンのことである。垂直コイルがサドルコイルの場合、コアを必要とせず左右分割タイプである。このため、図８に示したように、左のサドルコイル４６と右のサドルコイル４７とを直列接続し、差動抵抗４８は左右コイルに流れる電流のバランスを変えることができる。このことにより、垂直コイルについて擬似的に左右ティルトの効果を与えることができる。
【００１１】
この構成によれば、ＹＶミスコンバーゼンスと上下台形歪とを可変させることができ、結果として陰極線管と偏向ヨークとを組み合わせたときに発生するＹＶ、台形歪を最適調整することができる。
【００１２】
また、別な技術として水平コイルから垂直コイルに誘起される電圧によって発生するリンギングと呼ばれるノイズを、垂直コイルに並列にダンピング抵抗を接続してノイズ成分のフィルターとすることにより、抑制する技術がある。
【００１３】
特に、特許文献２には、多層巻線法とよばれる１層巻線ごとに初期巻線位置にもどる巻線法において、巻線の途中で中間タップを取り出し、抵抗、コンデンサによるダンピング回路を接続させて、リンギングを除去する技術が提案されている。
【特許文献１】実開昭６１−５６７５７号公報
【特許文献２】特開平６−１３９９５９号公報
【発明の開示】
【発明が解決しようとする課題】
【００１４】
しかしながら、前記のようなコアに多層巻線するトロイダルコイルは、コアが上下分割タイプであるため、垂直コイルを左右分割して、その電流バランスをとり、ＹＶや上下台形歪を調整することができないという問題があった。
【００１５】
本発明は、このような従来の問題を解決するものであり、トロイダルコイルにおいてもＹＶ及び上下台形歪の小さいカラー受像管を提供することを目的とする。
【課題を解決するための手段】
【００１６】
前記目的を達成するための本発明に係るカラー受像管装置は、陰極線管と、前記陰極線管の外部を囲むように配置された偏向ヨークとを備え、電子銃から放射された３本の電子ビームが、前記偏向ヨークからの水平偏向磁界及び垂直偏向磁界によって、スクリーン上にカラー画像を形成するカラー受像管装置であって、前記偏向ヨークは、水平偏向コイル、垂直偏向コイル、及びフェライトコアを含んでおり、前記フェライトコアは、上側コアと下側コアとに分割されており、前記上側コア、前記下側コアのそれぞれに前記垂直偏向コイルがトロイダル巻されており、前記陰極線管の管軸を通る画面垂直方向の軸をＹ軸、前記管軸を通る画面水平方向の軸をＸ軸とし、前記フェライトコアを前記スクリーン側から見たときに、前記垂直偏向コイルのうち、前記Ｙ軸より左側で前記Ｘ軸より上側の領域に巻回されたコイルを上側コア左側コイル、前記Ｙ軸より右側で前記Ｘ軸より上側の領域に巻回されたコイルを上側コア右側コイル、前記Ｙ軸より左側で前記Ｘ軸より下側の領域に巻回されたコイルを下側コア左側コイル、前記Ｙ軸より右側で前記Ｘ軸より下側の領域に巻回されたコイルを下側コア右側コイルとすると、前記上側コア左側コイルと前記上側コア右側コイルとが第１の中間タップを介して分割されており、前記下側コア左側コイルと前記下側コア右側コイルとが第２の中間タップを介して分割されており、前記第１及び第２の中間タップの少なくともいずれかに接続された可変抵抗を備えたことを特徴とする。
【発明の効果】
【００１７】
本発明によれば、トロイダルコイルにおいてもＹＶや上下台形歪を最適調整できる。
【発明を実施するための最良の形態】
【００１８】
本発明は、垂直偏向コイルが中間タップを介して、左側コイルと右側コイルとに分割されているので、トロイダルコイルにおいてもＹＶや上下台形歪を最適調整できる。
【００１９】
前記本発明のカラー受像管装置においては、前記フェライトコアは、内側又は外側に凸部の形成されたスロットコアであることが好ましい。この構成によれば、スロットの溝部に巻線を整列巻線できるので、リンギング発生を抑制しながら、垂直偏向コイルを左右分割することができる。
【００２０】
また、前記フェライトコアは、巻線位置規制のガイドが付加されていることが好ましい。この構成によれば、巻線の整列巻線がより確実になる。
【００２１】
また、前記本発明のカラー受像管装置においては、前記上側コア左側コイルと前記下側コア左側コイルとを直列接続して左側コイル群を形成し、前記上側コア右側コイルと前記下側コア右側コイルとを直列接続して右側コイル群を形成し、前記左側コイル群と前記右側コイル群とが直列接続されており、前記可変抵抗は前記第１及び第２の中間タップに接続されており、前記可変抵抗により、前記左側コイル群と前記右側コイル群との間で電流差を生じさせることができることが好ましい。この構成によれば、左側の上側コア左側コイル及び下側コア左側コイルと、右側の上側コア右側コイル及び下側コア右側コイルとの電流バランスを可変して、ＹＶ、上下台形歪を調整することができる。
【００２２】
また、前記可変抵抗は、第１の可変抵抗と第２の可変抵抗とに分離しており、前記上側コア左側コイルと前記上側コア右側コイルとが直列接続され、前記第１の中間タップと前記第１の可変抵抗とが接続され、前記下側コア左側コイルと前記下側コア右側コイルとが直列接続され、前記第２の中間タップと前記第２の可変抵抗とが接続され、前記第１の可変抵抗により、前記上側コア左側コイルと前記上側コア右側コイルとの間で電流差を生じさせることができ、前記第２の可変抵抗により、前記下側コア左側コイルと前記下側コア右側コイルとの間で電流差を生じさせることができることが好ましい。この構成によれば、上側コア側と下側コア側の上下において独立してＹＶ、上下台形歪を調整できることになる。
【００２３】
また、前記第１の可変抵抗と前記第２の可変抵抗との可変動作が連動する機構になっていることが好ましい。
【００２４】
また、前記第１の可変抵抗と前記第２の可変抵抗との可変動作が調整棒を介して連動する機構になっていることが好ましい。
【００２５】
以下、本発明の一実施の形態について、図面を参照しながら説明する。図１は、本発明の一実施の形態に係るカラー受像管装置の側面図である。本図に示したカラー受像管装置は、陰極線管１と偏向ヨーク２とを備えている。陰極線管１は、外囲器及びこれに付属した構成部品とを備えている。外囲器は、内面にスクリーン面が形成された前面平面パネル３と漏斗状のファンネル４とで構成されている。ファンネル４のネック部４ａ内には、３本の電子ビームを放出する電子銃３が設置されている。
【００２６】
また、ファンネル４の外部を囲むように、偏向ヨーク２及びコンバーゼンスヨーク５が装着されている。偏向ヨーク２は、水平偏向コイルと垂直偏向コイルとを備えており、これらから発生する水平、垂直偏向磁界により、電子銃３から発せられる３本の電子ビームは水平及び垂直偏向されることになる。このことにより、３本の電子ビームは、シャドウマスク（図示せず）を介してスクリーン面上を水平、垂直走査され、カラー画像が表示されることになる。
【００２７】
以下の説明において、陰極線管１の管軸（Ｚ軸）を通る画面垂直方向の軸をＹ軸、管軸を通る画面水平方向の軸をＸ軸とする。また、右側、左側は、偏向ヨーク２をスクリーン側から見たときのＹ軸を基準とする。また、上側、下側は、Ｘ軸を基準にする。
【００２８】
図２は、本発明の一実施の形態に係る垂直偏向コイルの巻回されたフェライトコアの断面図である。本図は、管軸と直交する方向における断面図であり、スクリ−ン側から見た図である。
【００２９】
フェライトコアは、内側に凸部の形成されたスロットコアであり、上側コア６と下側コア７とにＸ軸を境に上下に分割されている。これに対応して、上側コア６には上側コイル８が、下側コア７には下側コイル９がそれぞれ独立して巻線されている。巻線後に上側コア６と下側コア７とが組み合わされ、クリップ等によって結合状態が保持される。
【００３０】
なお、図２の例は、内側に凸部の形成されたスロットコアであるが、外側に凸部の形成されたスロットコアでもよく、内側及び外側の双方に凸部の形成されたスロットコアでもよい。
【００３１】
まず、上側コイル８の巻線の過程を説明する。上側コイル８は、上側コア６に左側から右側へ順に漸進巻線法により巻線されている。上側コイル８の内側には凸部が形成されており、凸部間に溝１１〜１４、１６〜１９が形成されている。巻線１０は巻き始め位置の巻線に相当し、巻線１０の位置から、まず左端の溝１１に３層整列巻線した後、以後同様に溝１２、１３、１４の順に巻線が移行していく。
【００３２】
巻数の中間において、すなわちＹ軸より左半分の巻線を完了した時点で、中間タップ（中間端子）１５（ＯＵＴ）を取り出す。中間タップ１５（ＯＵＴ）を取り出した後は、中間タップ１５（ＩＮ）を開始位置として、その後は左側部分と同様に、溝１６、１７、１８、１９の順に巻線が移行していく。巻き終わり位置に相当する巻線２０の位置において、上側コイル８のトロイダル巻線が完了する。
【００３３】
下側コイル９は、上側コイル８と同一仕様で巻線されており、下側コア７に下側コイル９が右側から左側へ順に漸進巻線法により巻線されている。下側コア７の内側にも凸部が形成されており、凸部間に溝２２〜２５、２７〜３０が形成されている。巻線２１は巻き始め位置の巻線に相当し、巻線２１の位置から、まず右端の溝２２に３層整列巻線した後、以後同様に溝２３、２４、２５の順に巻線が移行していく。
【００３４】
巻数の中間において、すなわちＹ軸から右半分の巻線を完了した時点で、中間タップ２６（ＯＵＴ）を取り出す。中間タップ２６（ＯＵＴ）を取り出し後は、中間タップ２６（ＩＮ）を開始位置として、その後は右側部分と同様に、溝２７、２８、２９、３０の順に巻線が移行していく。巻き終わり位置に相当する巻線３１の位置において、下側コイル９のトロイダル巻線が完了する。
【００３５】
以上のような巻線によれば、上側コア左側コイル３２と上側コア右側コイル３４とが中間タップ１５を介して分割されており、下側コア左側コイル３３と下側コア右側コイル３５とが中間タップ２６を介して分割されていることになる。
【００３６】
次に、垂直コイルの結線について図２、３を参照しながら説明する。図３は、垂直コイルの結線図である。図２の構成では、上側コイル８、下側コイル９は、それぞれ中間タップ１５、２６を介して左右に分割されている。図３に示したように、上側コア左側コイル３２の巻き終わりの中間タップ１５（ＯＵＴ）と、下側コア左側コイル３３の巻線３１とが結線されている。
【００３７】
また、下側コア左側コイル３３の中間タップ２６（ＩＮ）が、上側コア右側コイル３４の中間タップ１５（ＩＮ）と結線される。さらに、上側コア右側コイル３４の巻線２０と、下側コア右側コイル３５の中間タップ２６（ＯＵＴ）とが結線されている。
【００３８】
この結線によれば、垂直偏向電流は、まずプラス電圧側に結線された巻線１０から上側コア左側コイル３２に流れ、以後下側コア左側コイル３３、上側コア右側コイル３４、下側コア右側コイル３５の順に流れ、最後に下側コア右側コイル３５のマイナス電圧側に結線された巻線２１から出て行くことになる。
【００３９】
図３の結線図において、中間タップ１５（ＩＮ）及び中間タップ２６（ＩＮ）に、１００Ωのトリマポテンショメーター３６が接続されている。トリマポテンショメーター３６は差動抵抗すなわち可変抵抗となり、左側の上側コア左側コイル３２及び下側コア左側コイル３３と、右側の上側コア右側コイル３４及び下側コア右側コイル３５との電流バランスを可変して、ＹＶ、上下台形歪を調整することができる。
【００４０】
また、ダンピング抵抗として１００Ωの固定抵抗３７が左側の上側コア左側コイル３２及び下側コア左側コイル３３に並列に接続され、同様にダンピング抵抗として１００Ωの固定抵抗３８が、上側コア右側コイル３４及び下側コア右側コイル３５に並列に接続されている。この構成により、リンギングをより有利に抑制することができる。
【００４１】
なお、通常のトロイダル巻きで単純に中間タップを取り出し、垂直偏向コイルを左右分割すると、リンギングが発生しやすくなる。しかしながら、斬新巻線であってもスロットコアの場合は、スロットの溝部に巻線が整列巻線され、巻線の非対称性などによって生じやすいリンギングが発生しにくい。このため、本実施の形態によれば、リンギング発生を抑制しながら、垂直偏向コイルを左右分割することができることになる。
【００４２】
また、巻線位置規制のガイドをフェライトコアのスクリーン側端、電子銃側端に取り付けても、巻線を整列巻線でき、スロットコアと同様に、巻線の非対称性などによって生じ易いリンギングが発生しにくくなる。また、スロットコアにガイドを取り付ければ、整列巻線はより確実になる。
【００４３】
図４に、ガイドを取り付けたフェライトコアの一例の斜視図を示している。図４のフェライトコア５０は、内側に凸部５１の形成されたスロットコアの例である。このフェライトコア５０は、スクリーン側端にガイド５２、電子銃側端にガイド５３が取り付けられている。
【００４４】
図５は、垂直コイルの別の例に係る結線図を示している。上側コア左側コイル３２の中間タップ１５（ＯＵＴ）と、上側コア右側コイル３４の中間タップ１５（ＩＮ）とが結線されている。また、下側コア左側コイル３３の中間タップ２６（ＩＮ）と下側コア右側コイル３５の中間タップ２６（ＯＵＴ）とが結線されている。さらに、上側コア右側コイル３４の巻線２０と下側コア左側コイル３３の巻線３１とが結線されている。
【００４５】
この結線によれば、垂直偏向電流は、プラス電圧側に結線された巻線１０から上側コア左側コイル３２に流れ、以後上側コア右側コイル３４、下側コア左側コイル３３、下側コア右側コイル３５の順に流れ、最後に下側コア右側コイル３５のマイナス電圧側に結線された巻線２１から出て行くことになる。
【００４６】
この構成によれば、上側コイル８が中間タップ１５を介して左右に分割されている。また、中間タップ１５（ＩＮ）及び中間タップ１５（ＯＵＴ）に、１００Ωのトリマポテンショメーター４３ａが接続されている。この場合、トリマポテンショメーター４３ａが、差動抵抗すなわち可変抵抗となり、上側コア左側コイル３２と上側コア右側コイル３４との間の電流バランスを可変して、上ＹＶ、上台形歪を調整する。
【００４７】
また、ダンピング抵抗として、１００Ωの固定抵抗３９、４０が上側コア左側コイル３２、上側コア右側コイル３４に対応して、それぞれ１個ずつ並列に接続され、リンギングを抑制している。
【００４８】
同様に、下側コイル９が中間タップ２６を介して左右に分割されている。また、１００Ωのトリマポテンショメーター４３ｂが、中間タップ２６（ＩＮ）及び中間タップ２６（ＯＵＴ）に接続されている。この場合、トリマポテンショメーター４３ｂが差動抵抗すなわち可変抵抗となり、下側コア左側コイル３３と下側コア右側コイル３５との間の電流バランスを可変して、下ＹＶ、下台形歪を調整する。
【００４９】
また、ダンピング抵抗として、１００Ωの固定抵抗４１、４２が下側コア左側コイル３３、下側コア右側コイル３５に対応して、それぞれ１個ずつ並列に接続され、リンギングを抑制している。
【００５０】
したがって、図５に示した配線図の構成によれば、上下独立してＹＶ、上下台形歪を調整できることになる。
【００５１】
なお、漸進巻線であってもスロットコアの場合、スロットの溝部に巻線が整列巻線され、巻線の非対称性などによって生じやすいリンギングが発生しにくいのは前記の通りである。
【００５２】
また、図５に示した構成において、差動抵抗４３ａと差動抵抗４３ｂとを同時に連動して動かせるように、差動抵抗が２連式になっているものを使うことができる。この場合、差動抵抗のツマミを同時に動かすことのできる調整棒をつかうことができる。
【産業上の利用可能性】
【００５３】
以上の本発明によれば、トロイダルコイルにおいても、ＹＶや上下台形歪を最適調整できるので、例えばテレビジョン、コンピュータディスプレイに用いられるカラー受像管装置として有用である。
【図面の簡単な説明】
【００５４】
【図１】本発明の一実施の形態に係るカラー受像管の外観図。
【図２】本発明の一実施の形態に係るフェライトコア断面をスクリーン側からみた図。
【図３】本発明の一実施の形態に係る垂直コイルの結線図。
【図４】本発明の一実施の形態に係るガイド付のフェライトコアの一例の斜視図。
【図５】本発明の一実施の形態に係る別の例の垂直コイルの結線図。
【図６】従来のフェライトコアの一例を示す断面図。
【図７】従来のフェライトコアの別の一例を示す断面図。
【図８】従来の垂直サドルコイルの結線図の一例を示す図。
【図９】ＹＶミスコンバーゼンスのパターンを説明するための図。
【符号の説明】
【００５５】
１  陰極線管
２  偏向ヨーク
３  電子銃
６  上側コア
７  下側コア
１５，２６  中間タップ
３２  上側コア左側コイル
３３  下側コア左側コイル
３４  上側コア右側コイル
３５  下側コア右側コイル
３６，４３ａ，４３ｂ  トリマポテンショメーター
５２，５３  ガイド
【図１】
2006128094.tif 000003
【図２】
2006128094.tif 000004
【図３】
2006128094.tif 000005
【図４】
2006128094.tif 000006
【図５】
2006128094.tif 000007
【図６】
2006128094.tif 000008
【図７】
2006128094.tif 000009
【図８】
2006128094.tif 000010
【図９】
2006128094.tif 000011